(57)【特許請求の範囲】
【請求項１】
フェース面を前方側に備え、該フェース面は、下端にリーディングエッジを、上端にトップエッジを、前記リーディングエッジとトップエッジとの間にスウィートエリアを備えた有効打点領域を有し、かつ上部側程後方に位置する傾斜した傾斜面に形成されると共に、前記フェース面を前方側から見た際に左右方向となる方向において所定の曲率を持つ凸面状に形成されるウッドゴルフクラブヘッドにおいて、
前記フェース面を上部側から見た平面視で、前記フェース面のリーディングエッジとトップエッジの稜線の曲率を前記ヘッドのトウ側とヒール側で異ならせると共に、前記スウィートエリアの曲率に対して、前記トウ側のリーディングエッジとトップエッジの稜線の曲率を大きくする一方、前記ヒール側のリーディングエッジとトップエッジの稜線の曲率を小さくし、
かつ前記平面視において前記左右方向となる方向と直交する前後方向に平行な仮想直線を引いた際に、該仮想直線と交差する位置でリーディングエッジとトップエッジの稜線にそれぞれ引いた法線を前記平面視で見た時の法線のフェース面より前方側に向かう法線方向を、前記仮想直線と交差する位置で少なくとも前記スウィートエリアに引いた法線を前記平面視で見た時の法線のフェース面より前方側に向かう法線方向よりトウ側に向くようにしたウッドゴルフクラブヘッド。
【請求項２】
フェース面を前方側に備え、該フェース面は、下端にリーディングエッジを、上端にトップエッジを、前記リーディングエッジとトップエッジとの間にスウィートエリアを備えた有効打点領域を有し、かつ上部側程後方に位置する傾斜した傾斜面に形成されると共に、前記フェース面を前方側から見た際に左右方向となる方向において所定の曲率を持つ凸面状に形成されるウッドゴルフクラブヘッドにおいて、
前記フェース面を上部側から見た平面視で、前記フェース面のリーディングエッジとトップエッジの稜線の曲率を前記ヘッドのトウ側とヒール側で異ならせると共に、前記スウィートエリアの曲率に対して、前記トウ側のリーディングエッジとトップエッジの稜線の曲率を小さくする一方、前記ヒール側のリーディングエッジとトップエッジの稜線の曲率を大きくし、
かつ前記平面視において前記左右方向となる方向と直交する前後方向に平行な仮想直線を引いた際に、該仮想直線と交差する位置でリーディングエッジとトップエッジの稜線にそれぞれ引いた法線を前記平面視で見た時の法線のフェース面より前方側に向かう法線方向を、前記仮想直線と交差する位置で少なくとも前記スウィートエリアに引いた法線を前記平面視で見た時の法線のフェース面より前方側に向かう法線方向よりヒール側に向くようにしたウッドゴルフクラブヘッド。
【発明の詳細な説明】
【０００１】
【発明の属する技術分野】
本発明は、ウッドゴルフクラブヘッドに関し、更に詳しくは、スライスボールやフックボールを容易に修正することができるようにしたウッドゴルフクラブヘッドに関する。
【０００２】
【従来の技術】
一般に、ウッドゴルフクラブでボールを打つ時、目標とする飛球方向に対してフェース面をスクエア（正対）にして打つことにより、目標通りの飛球方向を得ることができる。しかし、ゴルファーによって、スクエアに構えてもインパクト時にフェース面が開いたり（右を向く）、かぶったり（左を向く）する癖がある。フェース面が開くと、ボールが右方向に曲がるスライスボールとなり、逆にフェース面がかぶると、ボールが左方向に曲がるフックボールとなる。特にティーアップして打つ１番手のウッドゴルフクラブの場合にその傾向が顕著に現れる。
【０００３】
そこで、インパクト時にフェース面が開くことが経験的に分かっているゴルファーは、目標とする飛球方向を、フェース面が開く分を予測してやや左方向とし、その方向にフェース面をスクエアにして構え、スイングするようにしている。また、フックボールになることが経験的に分かっているゴルファーの場合には、目標とする飛球方向を、フェース面がかぶる分を予測してやや右方向とし、その方向にフェース面をスクエアにして構え、スイングするようにしている。しかし、打ちたい方向よりも左或いは右を向いてスイングすることになるため、特にアマチュアのゴルファーにとって心理的に難しく、スクエアにして打つことがなかなかできない。
【０００４】
従来、上記対策として、目の錯覚を利用し、目標とする飛球方向に対してフェース面が開く、或いはかぶった状態でありながら、ゴルファーからスクエアに見えるようにし、打ちたい方向を向いてスイングできるようにしたクラブヘッドの提案がある。この提案は、フェース面がロフト角を有し、また左右方向において所定の曲率を持つ凸面状に形成された点を目の錯覚に利用したものである。
【０００５】
例えば、ヒール側からトウ側方向に向けてヘッド高さを次第に高くしたクラブヘッドが提案されている。このようにトウ側方向に向けてヘッド高さを高くすることにより、フェース面を飛球方向に対してスクエアに合わせた時、ゴルファーからヘッド高さが高いトウ側がヒール側によりも後側に見え、フェース面が右を向いているように見える。そのため、ゴルファーから見てスクエアに構えると、フェース面が上述した開く分を予測して左方向にした状態にしながら、ゴルファーが打ちたい方向を向くようにしてスイングすることができる。
【０００６】
また、フェース面のスコアラインを利用したクラブヘッドの提案もある。これは、例えば、ヒール側からトウ側方向に向けてスコアラインを次第に高く傾斜させることにより、上記と同じ効果を得るようにしたものである。
しかし、前者はヘッド高さを高くするため、ヘッドの重心位置が高くなるという問題があった。また、トウ側を高くするため、クラブシャフトからヘッド重心までの距離が長くなる結果、シャフト回りの慣性モーメントが大きくなり、ヘッドの向きを変更する操作がし難くなる。また更に、ヘッド重心よりヒール側のフェース面で打つ確率が高くなるため、スライスボールを直そうとしているにもかかわらず、ギヤー効果によりスライスが発生し易くなるという欠点があった。
【０００７】
他方、後者はスコアラインを必要とするため、スコアラインのないヘッドには採用することができず、汎用性がないという問題があった。また、スコアラインが見難いという欠点もある。
【０００８】
【発明が解決しようとする課題】
本発明の目的は、ヘッドの重心位置や慣性モーメントの増大などの問題を招かず、かつスコアラインを用いずにスライスボールやフックボールを直すことが可能なウッドゴルフクラブヘッドを提供することにある。
【０００９】
【課題を解決するための手段】
上記目的を達成する本発明のウッドゴルフクラブヘッドは、フェース面を前方側に備え、該フェース面は、下端にリーディングエッジを、上端にトップエッジを、前記リーディングエッジとトップエッジとの間にスウィートエリアを備えた有効打点領域を有し、かつ上部側程後方に位置する傾斜した傾斜面に形成されると共に、前記フェース面を前方側から見た際に左右方向となる方向において所定の曲率を持つ凸面状に形成されるウッドゴルフクラブヘッドにおいて、前記フェース面を上部側から見た平面視で、前記フェース面のリーディングエッジとトップエッジの稜線の曲率を前記ヘッドのトウ側とヒール側で異ならせると共に、前記スウィートエリアの曲率に対して、前記トウ側のリーディングエッジとトップエッジの稜線の曲率を大きくする一方、前記ヒール側のリーディングエッジとトップエッジの稜線の曲率を小さくし、かつ前記平面視において前記左右方向となる方向と直交する前後方向に平行な仮想直線を引いた際に、該仮想直線と交差する位置でリーディングエッジとトップエッジの稜線にそれぞれ引いた法線を前記平面視で見た時の法線のフェース面より前方側に向かう法線方向を、前記仮想直線と交差する位置で少なくとも前記スウィートエリアに引いた法線を前記平面視で見た時の法線のフェース面より前方側に向かう法線方向よりトウ側に向くようにしたことを特徴とする。
【００１０】
また、本発明の他のウッドゴルフクラブヘッドは、フェース面を前方側に備え、該フェース面は、下端にリーディングエッジを、上端にトップエッジを、前記リーディングエッジとトップエッジとの間にスウィートエリアを備えた有効打点領域を有し、かつ上部側程後方に位置する傾斜した傾斜面に形成されると共に、前記フェース面を前方側から見た際に左右方向となる方向において所定の曲率を持つ凸面状に形成されるウッドゴルフクラブヘッドにおいて、前記フェース面を上部側から見た平面視で、前記フェース面のリーディングエッジとトップエッジの稜線の曲率を前記ヘッドのトウ側とヒール側で異ならせると共に、前記スウィートエリアの曲率に対して、前記トウ側のリーディングエッジとトップエッジの稜線の曲率を小さくする一方、前記ヒール側のリーディングエッジとトップエッジの稜線の曲率を大きくし、かつ前記平面視において前記左右方向となる方向と直交する前後方向に平行な仮想直線を引いた際に、該仮想直線と交差する位置でリーディングエッジとトップエッジの稜線にそれぞれ引いた法線を前記平面視で見た時の法線のフェース面より前方側に向かう法線方向を、前記仮想直線と交差する位置で少なくとも前記スウィートエリアに引いた法線を前記平面視で見た時の法線のフェース面より前方側に向かう法線方向よりヒール側に向くようにしたことを特徴とする。
【００１１】
一般に、ゴルファーはヘッドのフェース面を打ちたい飛球方向に対してスクエアに構える時に、リーディングエッジとトップエッジの両稜線を見ながら合わせる。そこで、本発明では、スライスボールとなるゴルファー用のヘッドとして、その両稜線の曲率を従来は同じあったスウィートエリアの曲率に対して、トウ側を大きくする一方、ヒール側を小さくし、かつその稜線に対する法線方向の方がトウ側に向くようにすることにより、ゴルファーが実際にそのリーディングエッジとトップエッジの稜線を用いてフェース面をスクエアに構えると、打球するフェース面部分は、目標とする飛球方向よりやや左方向に向いたかぶった状態となる。そのため、スライスボールとなるゴルファーが打ちたい飛球方向に向きをとりながら、ボールをスライスさせずに目標の飛球方向に向けて打つことができ、かつヘッドを大きく形状変化させる必要がないので、ヘッドの重心位置や慣性モーメントの増大などの欠点がなく、またスコアラインを用いないので汎用性などの問題も生じることがない。
【００１２】
また、フックボールとなるゴルファー用のヘッドとして、両稜線の曲率をスウィートエリアの曲率に対して、トウ側を小さく、ヒール側を大きくし、かつ稜線に対する法線方向の方がヒール側に向くようにすることで、ゴルファーが実際にそのリーディングエッジとトップエッジの稜線を用いてフェース面をスクエアに構えると、打球するフェース面部分は、目標とする飛球方向よりやや右方向に向いた開いた状態となる。従って、フックボールとなるゴルファーが打ちたい飛球方向に向きをとりながら、ボールをフックさせずに目標の飛球方向に向けて打つことができ、かつ上記のような問題もない。
【００１３】
【発明の実施形態】
以下、本発明を添付の図面を参照しながら詳細に説明する。
図１，２はインパクト時にフェース面が開してスライスボールとなるゴルファーに適した本発明のウッドゴルフクラブヘッドの一例を示し、このウッドゴルフクラブヘッド１Ａは、上部にクラウン部２を有し、下部にソール３を有し、フロント側に打球用のフェース面４を備えたヘッド本体５と、このヘッド本体５のヒールｈ側に斜め上方に向けて突設したシャフト連結用のホーゼル６とを持った構成になっている。
【００１４】
前方側のフェース面４はその上部側程後方に位置する傾斜面に形成され、ロフト角が設けられた構成にしてある。上下方向におけるフェース面４は所定の大きな曲率半径を有する凸面状に形成されている。また、フェース面４を前方側から見た際に左右方向となる方向においても所定の曲率半径（曲率）を持つ凸面状に形成されている。
この左右方向における曲率半径（曲率）は、フェース面４の下端のリーディングエッジＬＥの稜線ｘと上端のトップエッジＴＥの稜線ｙの曲率半径が、ヘッド１Ａを設定された正規のライ角を維持するように設置した（図１の状態）時に図心Ｏを通る水平ラインａに対して図心Ｏを通って垂直に引いた垂直ラインｂを境に、フェース面４を上部側から見た図２の平面視で、トウｔ側とヒールｈ側とで異なっている。リーディングエッジＬＥとトップエッジＴＥとの間に位置し、フェース面４の上下左右の四隅部分を除いたスウィートエリアＳを有する有効打点領域４Ａが同一の曲率半径Ｒで構成されており、この曲率半径Ｒに対して、垂直ラインｂからトウｔ側のリーディングエッジとトップエッジの稜線ｘ１，ｙ１の曲率半径ｒ１，ｒ３が小さくなる一方、垂直ラインｂからヒールｈ側のリーディングエッジとトップエッジの稜線ｘ２，ｙ２の曲率半径ｒ２，ｒ４が大きくなるように構成されている。曲率で言えば、有効打点領域４Ａの曲率に対して、垂直ラインｂからトウｔ側の稜線ｘ１，ｙ１の曲率が大きくなる一方、ヒールｈ側の稜線ｘ２，ｙ２の曲率が小さくなっている。なお、図２における点線は、従来の有効打点領域４Ａと同じ曲率半径Ｒで構成されたリーディングエッジとトップエッジの稜線の位置を示す。
【００１５】
これらの曲率半径としては、例えば、有効打点領域４Ａの曲率半径Ｒを１０インチにするのに対して、稜線ｘ１，ｙ１の曲率半径ｒ１，ｒ３を７インチ、稜線ｘ２，ｙ２の曲率半径ｒ２，ｒ４を１３インチなどにすることができる。
また、平面視において前後に重なる稜線ｘ，ｙと有効打点領域４Ａの位置におけるヘッド前方側に向かう法線方向ｘａ，ｙａ，βは、稜線ｘ，ｙに対する法線方向ｘａ，ｙａの方が有効打点領域４Ａにおける法線方向βよりもトウｔ側に向くようになっている。即ち、フェース面４を上部側から見た図２の平面視において、左右方向となる方向（水平ラインａが延在する方向）と直交する前後方向に平行な仮想直線を引いた際に、仮想直線と交差する位置でリーディングエッジＬＥとトップエッジＴＥの稜線ｘ，ｙにそれぞれ引いた法線を上記平面視で見た時の法線のフェース面４より前方側に向かう法線方向ｘａ，ｙａが、仮想直線と交差する位置で有効打点領域４Ａに引いた法線を上記平面視で見た時の法線のフェース面４より前方側に向かう法線方向βよりトウｔ側に向くようになっている。
【００１６】
一般にゴルファーは、目標とする飛球方向に対してフェース面４をスクエアにして構える際に、リーディングエッジＬＥの稜線ｘとトップエッジＴＥの稜線ｙを利用する。本発明では、それに着目して、その稜線ｘ，ｙの曲率を有効打点領域４Ａの曲率に対して、トウｔ側の方を大きく、ヒールｈ側の方を小さくすると共に、稜線ｘ，ｙに対する法線方向ｘａ，ｙａの方をトウｔ側に向くようにしたので、フェース面４を飛球方向Ｋに対してスクエアに合わせても、ゴルファーからはフェース面４が図２に示すようにまだ開いているように見える。そのため、ゴルファーがリーディングエッジＬＥの稜線ｘとトップエッジＴＥの稜線ｙを基準にフェース面４をスクエアに構えると、実際に打球するフェース面の部分は、目標とする飛球方向Ｋよりやや左方向に向く。
【００１７】
従って、インパクト時にフェース面４が開してスライスボールとなるゴルファーは、そのフェース面４を左向きにかぶせるようにした状態で、打ちたい飛球方向Ｋを向くようにしてスイングすることができるため、ボールをスライスさせずに飛球方向Ｋに打つことができる。ヘッド１Ａの形状を大きく変更することがないため、ヘッドの重心位置や慣性モーメントの増大などの問題を招かず、またスコアラインを利用せずにできるので、汎用性などの問題も生じることがない。
【００１８】
図３はインパクト時にフェース面がかぶってフックボールとなるゴルファーに適した本発明のウッドゴルフクラブヘッドの例を示す。このウッドゴルフクラブヘッド１Ｂは、上述した実施形態とは逆に、有効打点領域４Ａの曲率に対して、トウｔ側のリーディングエッジとトップエッジの稜線ｘ１，ｙ１の曲率が小さく、ヒールｈ側のリーディングエッジとトップエッジの稜線ｘ２，ｙ２の曲率が大きくなるような構成になっている。曲率半径で言えば、有効打点領域４Ａの曲率半径Ｒに対して、トウｔ側のリーディングエッジとトップエッジの稜線ｘ１，ｙ１の曲率半径ｒ１，ｒ３が大きく、かつヒールｈ側のリーディングエッジとトップエッジの稜線ｘ２，ｙ２の曲率半径ｒ２，ｒ４が小さくなっている。なお、図３における点線は、図２同様に、従来の有効打点領域４Ａと同じ曲率半径Ｒで構成されたリーディングエッジとトップエッジの稜線の位置を示す。
【００１９】
また、平面視において前後に重なる稜線ｘ，ｙと有効打点領域４Ａの位置におけるヘッド前方側に向かう法線方向ｘａ，ｙａ，βは、稜線ｘ，ｙに対する法線方向ｘａ，ｙａの方が有効打点領域４Ａにおける法線方向βよりもヒールｈ側に向くようになっている。即ち、フェース面４を上部側から見た図３の平面視において、左右方向となる方向（水平ラインａが延在する方向）と直交する前後方向に平行な仮想直線を引いた際に、仮想直線と交差する位置でリーディングエッジＬＥとトップエッジＴＥの稜線ｘ，ｙにそれぞれ引いた法線を上記平面視で見た時の法線のフェース面４より前方側に向かう法線方向ｘａ，ｙａが、仮想直線と交差する位置で有効打点領域４Ａに引いた法線を上記平面視で見た時の法線のフェース面４より前方側に向かう法線方向βよりヒールｈ側に向くようになっている。
これにより、フェース面４を飛球方向Ｋに対してスクエアに合わせても、ゴルファーからはフェース面４が図３に示すようにかぶって左方向に向いているように見える。そのため、ゴルファーがリーディングエッジＬＥの稜線ｘとトップエッジＴＥの稜線ｙを基準にフェース面４をスクエアに構えると、実際に打球するフェース面の部分は、目標とする飛球方向Ｋよりやや右方向に向く。従って、インパクト時にフェース面４がかぶって左方向を向くためにフックボールとなるゴルファーにとって、そのフェース面４を右向きに開いた状態で、飛球方向Ｋを向くようにしてスイングすることができるため、従来のヘッドの重心位置や慣性モーメントの増大、スコアラインなどの問題もなく、ボールをフックさせずに目標の飛球方向Ｋに飛ばすことができる。
【００２０】
本発明において、上記実施形態では、有効打点領域４Ａが同じ曲率で構成されているため、フェース面４のリーディングエッジＬＥの稜線ｘとトップエッジＴＥの稜線ｙの曲率を有効打点領域４Ａに曲率に対して異ならせたが、少なくともスウィートエリアＳの曲率に対して異ならせるようにすることができる。
【００２１】
本発明は、特にティーアップして打つ所謂ドライバーと言われる１番ウッドのウッドゴルフクラブヘッドに好ましく用いることができるが、他の３番ウッド、５番ウッド等のウッドゴルフクラブヘッドであってもよい。
【００２２】
【発明の効果】
上述したように本発明は、ロフト角を有するフェース面を左右方向において所定の曲率を持つ凸面状に形成したウッドゴルフクラブヘッドにおいて、スウィートエリアの曲率に対して、トウ側のリーディングエッジとトップエッジの稜線の曲率とヒール側のリーディングエッジとトップエッジの稜線の曲率とを上記のように特定し、かつ稜線の法線方向を規定することにより、目の錯覚を利用することで、ヘッドの重心位置や慣性モーメントの増大などの問題を招かず、かつスコアラインを用いずにスライスボールやフックボールを直すことができる。
【図面の簡単な説明】
【図１】本発明のウッドゴルフクラブヘッドの一例を示す正面図である。
【図２】図１の平面図である。
【図３】本発明のウッドゴルフクラブヘッドの他の例を示す平面図である。
【符号の説明】
１Ａ，１Ｂ  ウッドゴルフクラブヘッド
２  クラウン部                  ３  ソール
４  フェース面                  ４Ａ  有効打点領域
５  ヘッド本体                  ６  ホーゼル
Ｋ  飛球方向                    ＬＥ  リーディングエッジ
Ｒ，ｒ１，ｒ２，ｒ３，ｒ３  曲率半径
Ｓ  スウィートエリア            ＴＥ  トップエッジ
ｈ  ヒール                      ｔ  トウ
ｘ，ｘ１，ｘ２  リーディングエッジの稜線
ｙ，ｙ１，ｙ２  トップエッジの稜線
ｘａ，ｙａ，β  法線方向
【図１】
0004001413.tif 000002
【図２】
0004001413.tif 000003
【図３】
0004001413.tif 000004